(57)【要約】【課題】ラッチ本体がロック位置にあるラッチに対してストライカが押し込まれたとしても、ラッチの構成部材が変形することを抑えることが可能なロック装置を提供する。【解決手段】ラッチ１１は、開口部２１Ａを有するハウジング１２と、ロック位置にて一対のアーム３０がストライカＳを挟持可能なラッチ本体１５とを備える。ストライカＳは、ハウジング１２の軸方向に延びるストライカ本体Ｓ１と、ストライカ本体Ｓ１に回動可能に弾性支持され、一対のアーム３０にロックされる被ロック部Ｓ３とを備える。アーム３０には傾斜面３０ｃが形成され、被ロック部Ｓ３には傾斜面Ｓ２ａが形成されている。そして、ラッチ本体１５がロック位置にあるラッチ１１に対してストライカＳが押し込まれたとき、これらの傾斜面３０ｃ，Ｓ２ａが当接するによって、被ロック部Ｓ３は、薄肉部Ｓ４を回動中心にしてストライカ本体Ｓ１の上方へ向かって回動する。【選択図】図１
2013204373.tif 000002
【特許請求の範囲】
【請求項１】
ストライカと該ストライカをロックするラッチとを備えたロック装置であって、
前記ラッチは、
前記ストライカが押し込まれる開口部を有する有底の筒状をなすハウジングと、
前記ハウジングの内側面に圧接されることで回動するアームを有し、前記開口部に向けて付勢された状態で前記ハウジングの軸方向に沿って往復移動し、ロック位置にて前記アームが前記ストライカをロック可能なラッチ本体とを備え、
前記ストライカは、
前記ハウジングに押し込む方向に延びるストライカ本体と、
前記ストライカ本体に回動可能に弾性支持され、前記アームにロックされる被ロック部とを備え、
前記アーム及び前記被ロック部の少なくとも一方が、
前記ラッチ本体が前記ロック位置にある前記ラッチに対して前記ストライカが押し込まれたときに、前記被ロック部が回動するように当該被ロック部を案内する傾斜を備える
ことを特徴とするロック装置。
【請求項２】
前記ハウジングの壁部が、前記ストライカ本体に対して回動する前記被ロック部との干渉を回避する切り欠き部を有する
請求項１に記載のロック装置。
【請求項３】
ストライカと該ストライカをロックするラッチとを備えたロック装置であって、
前記ラッチは、
前記ストライカが押し込まれる開口部を有する有底の筒状をなすハウジングと、
前記ハウジングの内側面に圧接されることで回動するアームを有し、前記開口部に向けて付勢された状態で前記ハウジングの軸方向に沿って往復移動し、ロック位置にて前記アームが前記ストライカをロック可能なラッチ本体とを備え
前記ストライカは、
前記ハウジングに押し込む方向に延びるストライカ本体と、
前記ストライカ本体に一体的に形成され、前記アームにロックされる被ロック部とを備え、
前記ラッチ本体が、
前記開口部に向かって付勢されるラッチ基体と、
前記ラッチ基体に回動可能に弾性支持され、前記アームを有するロック部とを備え、
前記アーム及び前記被ロック部の少なくとも一方が、
前記ラッチ本体が前記ロック位置にある前記ラッチに対して前記ストライカが押し込まれたときに、前記ロック部が回動するように当該ロック部を案内する傾斜を備える
ことを特徴とするロック装置。
【請求項４】
前記ハウジングの壁部が、前記ラッチ基体に対して回動する前記ロック部との干渉を回避する切り欠き部を有する
請求項３に記載のロック装置。
【発明の詳細な説明】
【技術分野】
【０００１】
本発明は、ストライカとラッチとで構成されるロック装置に関する。
【背景技術】
【０００２】
従来から、特許文献１に記載されるように、ストライカがラッチに押し込まれるたびにロック状態とロック解除状態とが切り替る、いわゆるプッシュ・プッシュ式のロック装置が知られている。図１１は、ロック解除状態のロック装置におけるラッチの内部構造を示す断面図であり、図１２は、ロック状態のロック装置におけるラッチの内部構造を示す断面図である。
【０００３】
図１１に示されるように、ラッチ１０１では、有底筒状をなすハウジング１０２の内部に、ハウジング１０２の軸方向に移動可能な柱状をなすラッチ本体１０４が収容されている。ハウジング１０２の底部である背壁部１０２Ｂとラッチ本体１０４との間には、付勢ばね１０５が挟入されて、ハウジング１０２の開口部１０３に向けてラッチ本体１０４が常に付勢されている。ラッチ本体１０４における開口部１０３側には、開口部１０３の外側に広がる一対の挟持片１０６がヒンジを介して連結されている。ラッチ本体１０４の外側面には、ハウジング１０２の長手方向に延びるカム溝１１０が形成されている。
【０００４】
カム溝１１０は、背壁部１０２Ｂから開口部１０３側に向けて溝幅が広がる凹溝である。このカム溝１１０にて開口部１０３側の溝端壁には、開口部１０３側から背壁部１０２Ｂに向けて延びる案内壁１１５が突設されて、その溝端壁が、２つの折返し壁１１３と１１６とに２分されている。また、カム溝１１０の内部にて、案内壁１１５と向い合う部位には、ハートカム１０９が突設されている。こうした構造を備えるカム溝１１０には、ハウジング１０２の底部に揺動可能に取り付けられたガイドレバー１１１のトレース部１１２が嵌め込まれている。
【０００５】
そして、ストライカ１０７の押圧によってハウジング１０２の内部にラッチ本体１０４が押し込まれると、図１１に矢印で示されるように、トレース部１１２は、カム溝１１０の内部で背壁部１０２Ｂから開口部１０３に向けて相対的に移動する。次いで、ラッチ本体１０４がさらに押し込まれると、トレース部１１２は、カム溝１１０の折返し壁１１３に当接して押し込みによるラッチ本体１０４の移動を規制する。この状態から、ストライカ１０７の押し込みが解除されると、図１２に矢印で示されるように、付勢ばね１０５の付勢力によってラッチ本体１０４が開口部１０３へ向けて移動する。そして、トレース部１１２がハートカム１０９の係止部１１４に係合することで、ラッチ本体１０４がロック位置に保持される。こうしてロック装置は、ロック解除状態からロック状態となる。
【０００６】
一方、ロック状態からストライカ１０７が再び押し込まれると、トレース部１１２は、ハートカム１０９の係止部１１４から、カム溝１１０の折返し壁１１６に向けて相対的に移動して、押し込みによるラッチ本体１０４の移動を再び規制する。この状態からストライカ１０７の押し込みが解除されると、ラッチ本体１０４は、付勢ばね１０５の付勢力によってアンロック位置に復帰する。こうしてロック装置は、ロック状態からロック解除状態となる。
【先行技術文献】
【特許文献】
【０００７】
【特許文献１】特開２００６−３１６５４８号公報
【発明の概要】
【発明が解決しようとする課題】
【０００８】
ところで、アンロック位置に配置されたラッチ本体１０４は、指などによってハウジング１０２に押し込まれることもある。こうした状態からラッチ１０１にストライカ１０７が押し込まれると、ハウジング１０２に挟持片１０６が収容されているため、一対の挟持片１０６がストライカ１０７に押圧されて、ラッチ本体１０４がロック位置からさらに押し込まれることになる。そして、トレース部１１２と折返し壁１１６との当接によってラッチ本体１０４の移動が規制された後もストライカ１０７が押し込まれ続けると、ハウジング１０２の内側面に押し付けられる挟持片１０６や、互いに当接している折返し壁１１６とトレース部１１２とが変形する虞がある。
【０００９】
本開示の技術は、ラッチ本体がロック位置にあるラッチに対してストライカが押し込まれたとしても、ラッチの構成部材が変形することを抑えることが可能なロック装置を提供することを目的とする。
【課題を解決するための手段】
【００１０】
本開示におけるロック装置の態様の一つは、ストライカと該ストライカをロックするラッチとを備えたロック装置であって、前記ラッチは、前記ストライカが押し込まれる開口部を有する有底の筒状をなすハウジングと、前記ハウジングの内側面に圧接されることで回動するアームを有し、前記開口部に向けて付勢された状態で前記ハウジングの軸方向に沿って往復移動し、ロック位置にて前記アームが前記ストライカをロック可能なラッチ本体とを備え、前記ストライカは、前記ハウジングに出入りする方向に延びるストライカ本体と、前記ストライカ本体に回動可能に弾性支持され、前記アームにロックされる被ロック部とを備え、前記アーム及び前記被ロック部の少なくとも一方が、前記ラッチ本体が前記ロック位置にある前記ラッチに対して前記ストライカが押し込まれたときに、前記被ロック部が回動するように当該被ロック部を案内する傾斜を備える。
【００１１】
本開示におけるロック装置の態様の一つによれば、ラッチ本体がロック位置にあるラッチに対してストライカが押し込まれると、被ロック部は、アーム及び被ロック部の少なくとも一方に形成された傾斜に案内されることでストライカ本体に対して回動する。すなわち、ストライカがラッチ本体を押圧する押圧力の一部が被ロック部の回動力に変換されることになる。その結果、ラッチ本体がストライカから受ける荷重を軽減することが可能であるから、ラッチの構成部材の変形を抑えることができる。
【００１２】
本開示におけるロック装置の態様の一つは、前記ハウジングの壁部が、前記ストライカ本体に対して回動する前記被ロック部との干渉を回避する切り欠き部を有する。
ハウジングの壁部に切り欠き部が形成されていない場合、被ロック部との干渉が回避される位置に壁部を配置しなければならず、ハウジングの大型化、ひいてはラッチの大型化を招くことになる。この点、本開示におけるロック装置の態様の一つによれば、ハウジングの壁部が、ストライカ本体に対して回動する被ロック部との干渉を回避する切り欠き部を有している。そのため、壁部に切り欠き部が形成されていない場合に比べて、ハウジングの形状に関する自由度が向上し、ハウジングの小型化、ひいてはラッチの小型化を図ることができる。
【００１３】
本開示におけるロック装置の態様の一つは、ストライカと該ストライカをロックするラッチとを備えたロック装置であって、前記ラッチは、前記ストライカが押し込まれる開口部を有する有底の筒状をなすハウジングと、前記ハウジングの内側面に圧接されることで回動するアームを有し、前記開口部に向けて付勢された状態で前記ハウジングの軸方向に沿って往復移動し、ロック位置にて前記アームが前記ストライカをロック可能なラッチ本体とを備え、前記ストライカは、前記ハウジングに出入りする方向に延びるストライカ本体と、前記ストライカ本体に一体的に形成され、前記アームにロックされる被ロック部とを備え、前記ラッチ本体が、前記開口部に向かって付勢されるラッチ基体と、前記ラッチ基体に回動可能に弾性支持され、前記アームを有するロック部とを備え、前記アーム及び前記被ロック部の少なくとも一方が、前記ラッチ本体が前記ロック位置にある前記ラッチに対して前記ストライカが押し込まれたときに、前記ロック部が回動するように当該ロック部を案内する傾斜を備える。
【００１４】
本開示におけるロック装置の態様の一つによれば、ラッチ本体がロック位置にあるラッチに対してストライカが押し込まれると、ロック部は、アーム及び被ロック部の少なくとも一方に形成された傾斜に案内されることでラッチ基体に対して回動する。すなわち、ストライカがラッチ本体を押圧する押圧力の一部がロック部の回動力に変換されることになる。その結果、ラッチ本体がストライカから受ける荷重を軽減することが可能であるから、ラッチの構成部材の変形を抑えることができる。
【００１５】
本開示におけるロック装置の態様の一つは、前記ハウジングの壁部が、前記ラッチ基体に対して回動する前記ロック部との干渉を回避する切り欠き部を有する。
ハウジングの壁部に切り欠き部が形成されていない場合、被ロック部との干渉が回避される位置に壁部を配置しなければならず、ハウジングの大型化、ひいてはラッチの大型化を招くことになる。この点、本開示におけるロック装置の態様の一つによれば、ハウジングの壁部が、ストライカ本体に対して回動する被ロック部との干渉を回避する切り欠き部を有している。そのため、壁部に切り欠き部が形成されていない場合に比べて、ハウジングの形状に関する自由度が向上し、ハウジングの小型化、ひいてはラッチの小型化を図ることができる。
【図面の簡単な説明】
【００１６】
【図１】本開示の第１実施形態におけるロック装置の概略構成を示す斜視図。
【図２】第１実施形態におけるラッチの内部構造を示す断面図であって、ラッチがロック状態にあるときを示した図。
【図３】（ａ）〜（ｃ）第１実施形態のロック装置において、ラッチ本体がロック位置にあるラッチに対してストライカが押し込まれたときのイメージを示す図。
【図４】本開示の第２実施形態におけるロック装置の概略構成を示す斜視図。
【図５】（ａ）〜（ｃ）第２実施形態のロック装置において、ラッチ本体がロック位置にあるラッチに対してストライカが押し込まれたときのイメージを示す図。
【図６】第２実施形態における変形例のストライカの概略構成を示す斜視図。
【図７】本開示の第３実施形態におけるロック装置の概略構成を示す斜視図。
【図８】（ａ）〜（ｃ）第３実施形態のロック装置において、ラッチ本体がロック位置にあるラッチに対してストライカが押し込まれたときのイメージを示す図。
【図９】本開示の第４実施形態におけるロック装置の概略構成を示す斜視図。
【図１０】（ａ）〜（ｃ）第４実施形態のロック装置において、ラッチ本体がロック位置にあるラッチに対してストライカが押し込まれたときのイメージを示す図。
【図１１】従来例において、ロック装置がロック解除状態にあるときのラッチの内部構造を示す断面図。
【図１２】従来例において、ロック装置がロック状態にあるときのラッチの内部構造を示す断面図。
【発明を実施するための形態】
【００１７】
（第１実施形態）
以下、本開示にかかるロック装置を具体化した第１実施形態について図１〜図３を参照して説明する。
【００１８】
図１に示されるように、ロック装置は、プッシュ・プッシュ式のラッチ１１と、ラッチ１１に挿入されるストライカＳとで構成される。ロック装置は、例えば、キャビネット、オーディオ機器等の固定体にラッチ１１が固定され、該固定体に設けられた扉、蓋、引き出し等の移動体にストライカＳが固定される。
【００１９】
ラッチ１１を構成するハウジング１２は、一対のアーム３０を有するラッチ本体１５をハウジング１２の軸方向に沿って移動可能に支持している。ラッチ１１にロックされるストライカＳは、ポリアセタール等の樹脂によって一体的に形成されており、該ストライカＳをハウジング１２に押し込む方向に沿って延びるストライカ本体Ｓ１と、ストライカ本体Ｓ１よりも外側に張り出した拡径部Ｓ２を有する被ロック部Ｓ３とを備えている。ストライカＳは、ラッチ１１に押し込まれることによって該ラッチ１１に対してロックされる。そして、ロックされたストライカＳは、再度ラッチ１１に押し込まれることによってラッチ１１に対するロックが解除される。
【００２０】
第１実施形態のストライカＳにおいて、被ロック部Ｓ３の拡径部Ｓ２には、該拡径部Ｓ２における先端側下部を切り欠いた傾斜面Ｓ２ａが形成されている。また、拡径部Ｓ２は、ラッチ１１に対してロックされたストライカＳを該ラッチ１１から引き抜こうとする際に、一対のアーム３０の段差面３０ｄに係合する係合面Ｓ２ｂを有している。この係合面Ｓ２ｂは、拡径部Ｓ２の下面に近い部位ほどストライカＳの先端側に配置されるように傾斜している。また、被ロック部Ｓ３とストライカ本体Ｓ１は、これら被ロック部Ｓ３及びストライカ本体Ｓ１における互いの上部を薄肉部Ｓ４によって連結されている。被ロック部Ｓ３は、薄肉部Ｓ４が弾性変形することによって、当該薄肉部Ｓ４を回動中心としてストライカ本体Ｓ１の上方に向かって回動可能となっている。なお、拡径部Ｓ２は、一対のアーム３０によってロックされた状態において、薄肉部Ｓ４を回動中心として回動可能な大きさに形成されている。また、薄肉部Ｓ４は、ロック位置にラッチ本体１５があるラッチ１１に対してストライカＳが押し込まれたときに、ラッチ本体１５をハウジング１２内へ押し込むことなく弾性変形するようになっている。
【００２１】
ラッチ１１のハウジング１２は、ポリアセタール等の樹脂によって形成されている。ハウジング１２は、有底の筒状体をなしており、上壁部２０ａ、側壁部２０ｂ，２０ｃ、下壁部２０ｄ、及び底部としての背壁部２０ｅで構成されるハウジング基体２０と、上壁部２１ａ、側壁部２１ｂ、２１ｃ、下壁部２１ｄで構成され、ハウジング基体２０の一端部に外側に張り出すように一体的に形成された枠部２１とを有している。ラッチ１１は、固定体に取り付けられると、ハウジング基体２０が固定体の内部に配設され、枠部２１が固定体の外部に配設される。ハウジング１２には、枠部２１によって形成される開口部２１Ａを通じてストライカＳが出入りする。また、枠部２１の上壁部２１ａには、被ロック部Ｓ３の拡径部Ｓ２が出入りすることが可能な大きさの切り欠き部２１Ｂが形成されている。
【００２２】
ハウジング基体２０の側壁部２０ｂ，２０ｃには、該側壁部２０ｂ，２０ｃよりも側方へ張り出す爪部２２が形成されている。ラッチ１１は、例えば、固定体の取付部にハウジング基体２０が挿入され、該取付部に形成された嵌合孔に爪部２２が嵌合することで固定体に取り付けられる。また、ハウジング基体２０の上壁部２０ａには、ハウジング１２の軸方向に沿って延びるガイド孔１３が貫通形成されている。
【００２３】
図２に示されるように、ハウジング基体２０の背壁部２０ｅには、ハウジング１２の軸方向に沿って延びる棒状のばね受け部２３が形成されている。ばね受け部２３は、背壁部２０ｅのうちで側壁部２０ｃ側に偏倚した位置に形成されており、付勢ばね２４が外挿される。付勢ばね２４は、コイルばねであって、ハウジング基体２０の背壁部２０ｅとラッチ本体１５との間に介在して、枠部２１の開口部２１Ａから突出させるようにラッチ本体１５を付勢する。
【００２４】
また、ハウジング基体２０の背壁部２０ｅには、揺動軸部２５を軸として揺動可能にガイドレバー２６が取り付けられる。このガイドレバー２６は、ステンレス等の線材からなり、揺動軸部２５の両端から開口部２１Ａへ向かって延びる一対のアーム部２７が形成されている。一対のアーム部２７は、略等しい長さに形成されており、その先端部には、互いの先端面が向き合うように屈曲するトレース部２８が形成されている。
【００２５】
また、図２に示されるように、ラッチ本体１５は、ポリアセタール等の樹脂によって形成されている。ラッチ本体１５を構成するラッチ基体３１は、ハウジング基体２０の側壁部２０ｃ側に配置される略直方体形状の肉厚部３１Ａと、ハウジング基体２０の側壁部２０ｂ側に配置されて上記一対のアーム部２７によって挟まれる平板状の薄肉部３１Ｂとが一体的に形成されている。ラッチ基体３１の一端部には、ストライカＳによって押圧される被押圧部２９と該被押圧部２９を挟むように一対のアーム３０とが一体的に形成されている。一対のアーム３０は、基端部に薄肉化されたヒンジ部３２を有し、ヒンジ部３２よりも肉厚の大径部３０ａを先端部に有している。また、一対のアーム３０は、これらヒンジ部３２と大径部３０ａとの間に、ヒンジ部３２よりも肉厚であって且つ大径部３０ａよりも薄肉の中間部３０ｂを有している。
【００２６】
一対のアーム３０は、ラッチ本体１５がハウジング１２に押し込まれることで、枠部２１の側壁部２１ｂ、２１ｃに圧接されて上記ヒンジ部３２を回動軸として互いの大径部３０ａが近づくように弾性変形する。そして、大径部３０ａと中間部３０ｂとの段差に、ストライカＳの拡径部Ｓ２が嵌ることによって、ストライカＳがアーム３０に挟持される。また、ラッチ本体１５がアンロック位置に配置されて、各アーム３０がハウジング１２から抜き出されると、各アーム３０は、弾性力により元の位置に復帰する。
【００２７】
各アーム３０の大径部３０ａには、該大径部３０ａにおける先端側上部を切り欠いた傾斜面３０ｃが形成されている。この傾斜面３０ｃは、アーム３０の先端側の部位ほどアーム３０の下面に近い位置に配置されており、ラッチ本体１５がロック位置にあるラッチ１１に対してストライカＳが押し込まれたときに、ストライカＳの傾斜面Ｓ２ａが当接するようになっている。また、大径部３０ａと中間部３０ｂとの段差面３０ｄは、アーム３０の上面に近い部位ほどアーム３０の先端側に配置されるように傾斜している。
【００２８】
ラッチ基体３１の肉厚部３１Ａには、該ラッチ基体３１の他端部に開口を有する嵌挿穴３４が形成されている。この嵌挿穴３４は、ハウジング１２の軸方向に沿うように形成されており、ハウジング１２のばね受け部２３に支持された付勢ばね２４が嵌挿される。
【００２９】
また、肉厚部３１Ａには、ハウジング基体２０の上壁部２０ａに向けて突出する突片３３が形成されている。突片３３は、ラッチ本体１５をハウジング１２に組み付ける際に、上壁部２０ａに形成されたガイド孔１３に摺動可能に内嵌される。ラッチ本体１５は、突片３３がガイド孔１３に嵌合されることにより、付勢ばね２４の付勢力による移動が規制され、ロック解除状態になってもアンロック位置に保持される。
【００３０】
一方、ラッチ基体３１の薄肉部３１Ｂには、ハウジング基体２０の上壁部２０ａ、下壁部２０ｄに対向する両側面に、ガイドレバー２６のトレース部２８が挿入されるカム溝３５が形成されている。
【００３１】
カム溝３５は、ハートカム３６を囲むように形成されている。ハートカム３６には、アーム３０側の部位に、ガイドレバー２６のトレース部２８と係合することでラッチ本体１５をロック位置に保持する凹部３７が形成されている。
【００３２】
トレース部２８は、ラッチ本体１５がアンロック位置にあるラッチ１１に対してストライカＳが押し込まれると、カム溝３５に案内されて、やがて折返し壁３８に当接してラッチ本体１５の移動を規制する。この状態からストライカＳの押込みが解除されると、トレース部２８は、付勢ばね２４の付勢力によってラッチ本体１５が移動することでハートカム３６の凹部３７に係合し、ラッチ本体１５をロック位置に保持する。
【００３３】
一方、ロック状態にあるストライカＳを再び押し込むと、トレース部２８は、ハートカム３６の凹部３７との係合が解除されたのち、カム面３９に案内されて、やがて折返し壁４０に当接してラッチ本体１５の移動を規制する。この状態からストライカＳの押し込みが解除されると、ラッチ本体１５は、付勢ばね２４の付勢力によってストライカＳを被押圧部２９で押圧しながらアンロック位置へと復帰する。
【００３４】
次に、第１実施形態におけるロック装置の作用、特に、ラッチ本体１５がロック位置にあるラッチ１１に対してストライカＳが押し込まれたときの作用について図３を参照して説明する。
【００３５】
図３（ａ）に示されるように、ラッチ本体１５がロック位置にあるラッチ１１に対してストライカＳが押し込まれると、ラッチ本体１５は、アーム３０の傾斜面３０ｃにストライカＳの傾斜面Ｓ２ａが当接する。
【００３６】
ストライカＳがさらに押し込まれると、図３（ｂ）に示されるように、ストライカＳの被ロック部Ｓ３は、傾斜面Ｓ２ａがラッチ本体１５の傾斜面３０ｃに案内されることで、ストライカ本体Ｓ１の上方に向かって薄肉部Ｓ４を回動中心として回動する。すなわち、ラッチ本体１５を押圧する押圧力の一部が、薄肉部Ｓ４を回動中心として被ロック部Ｓ３を回動させる回動力に変換される。その結果、ラッチ本体１５がロック位置にあるラッチ１１に対してストライカＳが押し込まれたとしても、ラッチ１１がストライカＳから受ける荷重を軽減することが可能であるから、ラッチ１１の構成部材が変形することを抑えることができる。
【００３７】
ここで、被ロック部Ｓ３を案内する傾斜を一対のアーム３０及び拡径部Ｓ２のいずれか一方にのみ形成することも可能である。しかしながら、一方にのみ傾斜を形成した場合には、双方に傾斜が形成されている場合に比べて、被ロック部Ｓ３を案内する際に必要となる力が大きくなりやすいため、ラッチ１１の構成部材に作用する荷重も大きくなりやすい。この点、本実施形態では、一対のアーム３０及び被ロック部Ｓ３の双方に傾斜が形成されている。そのため、いずれか一方にのみ傾斜が形成された場合に比べて、被ロック部Ｓ３が円滑に案内されることから、被ロック部Ｓ３を回動させる際に必要となる力を小さくすることが可能である。すなわち、一対のアーム３０及び被ロック部Ｓ３の双方に傾斜が形成されることによって、ラッチ１１に作用する荷重をさらに軽減することが可能である。
【００３８】
また、被ロック部Ｓ３の回動によって、拡径部Ｓ２の一部は、上壁部２１ａの切り欠き部２１Ｂを通じて枠部２１の外部に配設されることになる。こうした切り欠き部２１Ｂが上壁部２１ａに形成されていないとなれば、被ロック部Ｓ３に干渉しない位置に上壁部２１ａを配置しなければならず、ハウジング１２の大型化、ひいてはラッチ１１の大型化を招くことになる。そのため、上壁部２１ａに切り欠き部２１Ｂを形成することによって、上壁部２１ａに切り欠き部２１Ｂが形成されていない場合に比べて、ハウジング１２の形状に関する自由度が向上し、ハウジング１２の小型化、ひいてはラッチ１１の小型化を図ることができる。
【００３９】
そして、図３（ｃ）に示されるように、ストライカＳがさらに押し込まれると、ストライカＳは、アーム３０の段差面３０ｄに係合面Ｓ２ｂが案内されながら、薄肉部Ｓ４の復元力によってストライカ本体Ｓ１の下方へ向かって回動する。そして、ストライカＳは、一対のアーム３０の間に拡径部Ｓ２が嵌ることでラッチ本体１５にロックされる。
【００４０】
ところで、アーム３０の段差面３０ｄは、アーム３０の上面に近い部位ほどアーム３０の先端側に配置されるように傾斜しており、拡径部Ｓ２の係合面Ｓ２ｂは、拡径部Ｓ２の下面に近い部位ほどストライカＳの先端側に配置されるように傾斜している。そのため、ロック状態にあるストライカＳをラッチ本体１５から引き抜こうとすると、段差面３０ｄに係合面Ｓ２ｂが案内されることで、係合面Ｓ２ｂが大径部３０ａを押圧する力の一部が被ロック部Ｓ３を押し上げる力、すなわち薄肉部Ｓ４を回動中心にして被ロック部Ｓ３を回動させる回動力に変換される。そして、ストライカ本体Ｓ１の上方に向かって被ロック部Ｓ３が回動することで、一対のアーム３０と被ロック部Ｓ３との係合が解除され、ロック位置にあるラッチ本体１５からストライカＳを引き抜くことができる。
【００４１】
以上説明したように、第１実施形態のロック装置によれば、以下に列挙する効果を得ることができる。
（１）ラッチ本体１５がロック位置にあるラッチ１１に対してストライカＳが押し込まれたとしても、ラッチ１１がストライカＳから受ける荷重を軽減することが可能であるから、ラッチ１１の構成部材が変形することを抑えることができる。
【００４２】
（２）ラッチ本体１５に対するストライカＳの押圧力を回動力に変換する傾斜が一対のアーム３０及び拡径部Ｓ２の双方に形成されていることから、ラッチ１１がストライカＳから受ける荷重をさらに軽減することができる。
【００４３】
（３）被ロック部Ｓ３との干渉を回避する切り欠き部２１Ｂが上壁部２１ａに形成されていることから、ハウジング１２の小型化、ひいてはラッチ１１の小型化を図ることができる。
【００４４】
（４）ロック位置にあるラッチ本体１５を背壁部２０ｅに押し込むことなく、被ロック部Ｓ３が回動する。その結果、ロック位置にラッチ本体１５があるラッチ１１に対してストライカＳが押し込まれた場合にも、ストライカＳをロック状態にすることができる。
【００４５】
（５）ロック位置にあるラッチ本体１５からストライカＳを引き抜く際にも被ロック部Ｓ３を回動させることが可能である。その結果、ロック位置にあるラッチ本体１５からストライカＳを引き抜くことも可能である。
【００４６】
なお、上記第１実施形態は、以下のように適宜変更して実施することもできる。
・ハウジング１２の枠部２１は、被ロック部Ｓ３に干渉しない位置に上壁部２１ａが配置されているのであれば、上壁部２１ａから切り欠き部２１Ｂが割愛された構成であってもよい。
【００４７】
・被ロック部Ｓ３は、ストライカ本体Ｓ１の下方に向かって回動可能に弾性支持されてもよい。
・被ロック部Ｓ３がストライカ本体Ｓ１の上方、あるいは下方に向かって回動可能に弾性支持されるのであれば、被ロック部Ｓ３とストライカ本体Ｓ１とが別部材で構成されてもよい。
【００４８】
・薄肉部の機械的な強度を調整することによって、ラッチ本体１５がロック位置にあるラッチ１１に対してストライカＳが押し込まれたときに、ラッチ本体１５が背壁部２０ｅ側へ押し込まれるようにしてもよい。こうした構成であっても、ガイドレバー２６のトレース部２８が折返し壁４０に当接してラッチ本体１５の移動が規制されたのちに被ロック部Ｓ３の回動が開始されることで、上記（１）に記載した効果に準ずる効果を得ることができる。そして、ラッチ本体１５は、アンロック位置へ向かって移動する際に一対のアーム３０がとる軌道から拡径部Ｓ２が待避されると、アンロック位置へと向かう移動を開始する。また、ストライカ本体Ｓ１の上方へ向かって回動した被ロック部Ｓ３は、薄肉部Ｓ４の復元力によってストライカ本体Ｓ１に対する元の位置へと復帰する。
【００４９】
（第２実施形態）
次に本開示にかかるロック装置を具体化した第２実施形態について図４及び図５を参照して説明する。なお、第２実施形態のロック装置は、第１実施形態におけるロック装置と主要な構成が同じである。そのため、第２実施形態においては、第１実施形態と異なる部分について詳細に説明し、第１実施形態と同様の部分については同様の符号を付すことによりその詳細な説明は省略する。
【００５０】
図４に示されるように、第２実施形態のラッチ本体１５において、一対のアーム３０のうち、左側のアーム３０には、先端側下部を切り欠いた傾斜面３０ｅが形成されており、右側のアーム３０には、先端側上部を切り欠いた傾斜面３０ｆが形成されている。また、枠部２１の上壁部２１ａに加えて、下壁部２１ｄにも、被ロック部Ｓ３の拡径部Ｓ２が出入りすることが可能な大きさの切り欠き部２１Ｄが形成されている。また、左側のアーム３０の段差面３０ｇは、アーム３０の下面に近い部位ほどアーム３０の先端側に配置されるように傾斜しており、右側のアーム３０の段差面３０ｈは、アーム３０の上面に近い部位ほどアーム３０の先端側に配置されるように傾斜している。
【００５１】
一方、第２実施形態のストライカＳは、ストライカ本体Ｓ１と被ロック部Ｓ３とが異なる部材で構成されている。被ロック部Ｓ３には、拡径部Ｓ２における左側の部位に、先端側上部を切り欠いた傾斜面Ｓ２ｃが形成されており、また、拡径部Ｓ２における右側の部位に、先端側下部を切り欠いた傾斜面Ｓ２ｄが形成されている。これらの傾斜面Ｓ２ｃ、Ｓ２ｄは、ラッチ本体１５がロック位置にあるラッチ１１に対してストライカＳが押し込まれたとき、傾斜面Ｓ２ｃが左側のアーム３０の傾斜面３０ｅに当接し、傾斜面Ｓ２ｄが右側のアーム３０の傾斜面３０ｆに当接する。
【００５２】
また、拡径部Ｓ２は、ラッチ１１に対してロックされたストライカＳを該ラッチ１１から引き抜こうする際に、左側のアーム３０の段差面３０ｇに係合する係合面Ｓ２ｅと右側のアーム３０の段差面３０ｈに係合する係合面Ｓ２ｆを有している。係合面Ｓ２ｅは、拡径部Ｓ２の上面に近い部位ほどストライカＳの先端側に配置されるように傾斜しており、係合面Ｓ２ｆは、拡径部Ｓ２の下面に近い部位ほどストライカＳの先端側に配置されるように傾斜している。
【００５３】
被ロック部Ｓ３には、拡径部Ｓ２の反対側における端面の中央部分に、ハウジング１２の軸方向に沿って延びる円柱状の回動軸部Ｓ６が一体的に形成されている。この回動軸部Ｓ６の先端には、該回動軸部Ｓ６にねじりコイルばねＳ７が外挿された状態で円板状の円板部Ｓ８が固定されている。被ロック部Ｓ３は、円板部Ｓ８と、回動軸部Ｓ６のうちでねじりコイルばねＳ７の外挿されていない部分とがストライカ本体Ｓ１の凹部Ｓ１ａに圧入されることによって、該ストライカ本体Ｓ１に対して回動軸部Ｓ６を軸として回動自在に支持される。そして、被ロック部Ｓ３は、ねじりコイルばねＳ７の一端部が被ロック部Ｓ３の端面に形成された取付孔に挿入され、他端部がストライカ本体Ｓ１に形成された取付孔Ｓ１ｂに挿入されることで、ストライカ本体Ｓ１に対して回動自在に弾性支持される。なお、第２実施形態の被ロック部Ｓ３は、ロック状態においても、一対のアーム３０の間で回動軸部Ｓ６を回動中心として回動可能な大きさに形成されている。また、被ロック部Ｓ３は、ロック位置にラッチ本体１５があるラッチ１１に対してストライカＳが押し込まれたときに、ラッチ本体１５をハウジング１２内へ押し込むことなく、ストライカ本体Ｓ１に対して回動するように弾性支持されている。
【００５４】
次に、第２実施形態におけるロック装置の作用、特に、ラッチ本体１５がロック位置にあるラッチ１１に対してストライカＳが押し込まれたときの作用について図５を参照して説明する。
【００５５】
図５（ａ）に示されるように、ラッチ本体１５がロック位置にあるラッチ１１に対してストライカＳが押し込まれると、ラッチ本体１５は、アーム３０の傾斜面３０ｅが拡径部Ｓ２の傾斜面Ｓ２ｃに、アーム３０の傾斜面３０ｆが拡径部Ｓ２の傾斜面Ｓ２ｄに当接する。
【００５６】
ストライカＳがさらに押し込まれると、図５（ｂ）に示されるように、ストライカＳの被ロック部Ｓ３は、傾斜面Ｓ２ｃがアーム３０の傾斜面３０ｅに案内され、傾斜面Ｓ２ｄがアーム３０の傾斜面３０ｆに案内される。そのため、傾斜面Ｓ２ｃが傾斜面３０ｅを押圧する力の一部が被ロック部Ｓ３の左側を押し下げる力に変換され、傾斜面Ｓ２ｄが傾斜面３０ｆを押圧する力の一部が被ロック部Ｓ３の右側を押し上げる力に変換される。これにより、被ロック部Ｓ３は、ねじりコイルばねＳ７を弾性変形させながら、ストライカ本体Ｓ１に対して回動軸部Ｓ６を回動中心として回動する。この際、被ロック部Ｓ３は、枠部２１との干渉が、切り欠き部２１Ｂ，２１Ｄによって回避される。その結果、ラッチ本体１５がロック位置にあるラッチ１１に対してストライカＳが押し込まれたとしても、ラッチ１１がストライカＳから受ける荷重を軽減することが可能である。
【００５７】
そして、図５（ｃ）に示されるように、さらにストライカＳが押し込まれると、被ロック部Ｓ３は、係合面Ｓ２ｅがアーム３０の段差面３０ｇに、係合面Ｓ２ｆがアーム３０の段差面３０ｈに案内されながら、ねじりコイルばねＳ７の復元力によってストライカ本体Ｓ１に対して回動する。すなわち、被ロック部Ｓ３は、ストライカ本体Ｓ１に対して、左側の部位が押し上げられるように、また、右側の部位が押し下げられるように回動する。そして、一対のアーム３０の間に拡径部Ｓ２が収容されることで、ストライカＳは、ラッチ本体１５にロックされる。
【００５８】
ところで、左側のアーム３０における段差面３０ｇは、アーム３０の下面に近い部位ほどアーム３０の先端側に配置されるように傾斜しており、拡径部Ｓ２における左側の係合面Ｓ２ｅは、拡径部Ｓ２の上面に近い部位ほどストライカＳの先端側に配置されるように傾斜している。また、右側のアーム３０における段差面３０ｈは、アーム３０の上面に近い部位ほどアーム３０の先端側に配置されるように傾斜しており、拡径部Ｓ２における右側の係合面Ｓ２ｆは、拡径部Ｓ２の下面に近い部位ほどストライカＳの先端側に配置されるように傾斜している。
【００５９】
そのため、ラッチ本体１５にロックされているストライカＳを該ラッチ本体１５から引き抜こうとすると、段差面３０ｇに係合面Ｓ２ｅが案内されることで、係合面Ｓ２ｅが大径部３０ａを押圧する力の一部が被ロック部Ｓ３の左側を押し下げる力に変換される。また、段差面３０ｈに係合面Ｓ２ｆが案内されることで、係合面Ｓ２ｆが大径部３０ａを押圧する力の一部が被ロック部Ｓ３の右側を押し上げる力に変換される。
【００６０】
すなわち、ラッチ本体１５にロックされているストライカＳを引き抜く力が、回動軸部Ｓ６を回動中心にして被ロック部Ｓ３を回動させる力に変換される。そして、ストライカ本体Ｓ１に対して被ロック部Ｓ３が回動することで、一対のアーム３０と被ロック部Ｓ３との係合が解除され、ロック位置にあるラッチ本体１５からストライカＳを引き抜くことができる。
【００６１】
以上説明したように、第２実施形態のロック装置によれば、第１実施形態に記載した（１）〜（５）に準ずる効果の他、以下に列挙する効果を得ることができる。
（６）被ロック部Ｓ３が回動軸部Ｓ６を回動中心として、すなわちハウジング１２の軸方向を回動中心として回動することから、ストライカ本体Ｓ１の上方に向かって被ロック部Ｓ３が回動する場合に比べて、被ロック部Ｓ３を回動させるために必要なスペースを小さくすることが可能である。その結果、ラッチ１１の取付位置に関する自由度を向上させることができる。
【００６２】
なお、上記第２実施形態は、以下のように適宜変更して実施することもできる。
・ハウジング１２の枠部２１は、被ロック部Ｓ３に干渉しない位置に上壁部２１ａ及び下壁部２１ｄが形成されているのであれば、上壁部２１ａから切り欠き部２１Ｂ、下壁部２１ｄから切り欠き部２１Ｄが割愛された構成であってもよい。
【００６３】
・被ロック部Ｓ３は、ストライカ本体Ｓ１に対して、ハウジング１２の軸方向に沿って回動可能に弾性支持されていればよく、これら被ロック部Ｓ３とストライカ本体Ｓ１との連結態様は、回動軸部Ｓ６、ねじりコイルばねＳ７、円板部Ｓ８、凹部Ｓ１ａによって構成される態様に限られるものではない。
【００６４】
・ねじりコイルばねＳ７のばね定数等を調整することによって、ラッチ本体１５がロック位置にあるラッチ１１に対してストライカＳが押し込まれたときに、ラッチ本体１５が背壁部２０ｅ側へ押し込まれるようにしてもよい。こうした構成であっても、第１実施形態の（１）に記載した効果に準ずる効果を得ることができる。すなわち、ラッチ本体１５の移動が規制されたのちに被ロック部Ｓ３の回動が開始される。そして、ラッチ本体１５は、アンロック位置へ向かって移動する際に一対のアーム３０がとる軌道から拡径部Ｓ２が待避されると、アンロック位置へと向かう移動を開始する。また、ストライカ本体Ｓ１に対して回動した被ロック部Ｓ３は、ねじりコイルばねＳ７の復元力によって元の位置へと復帰する。
【００６５】
・図６に示されるように、ストライカＳは、ねじりコイルばねＳ７の復元力による回動を規制することによって、ストライカ本体Ｓ１に対する被ロック部Ｓ３の位置を一対のアーム３０によって挟持可能な位置に保持する機構を有していてもよい。こうした機構は、例えば、拡径部Ｓ２の反対側における端面の右側上部の隅部及び左側下部の隅部に突設された規制片Ｓ３ａ，Ｓ３ｂと、ストライカ本体Ｓ１に形成されて上記規制片Ｓ３ａ，Ｓ３ｂと係合可能な規制溝Ｓ１ｃ，Ｓ１ｄとによって構成することが可能である。
【００６６】
また例えば、円板部Ｓ８の外周面に規制片を突設し、この規制片が凹部Ｓ１ａの開口から露出されるようにストライカ本体Ｓ１と被ロック部Ｓ３とが連結される構成であってもよい。こうした構成では、規制片が凹部Ｓ１ａの側面に当接することによって回動が規制される。
【００６７】
（第３実施形態）
次に本開示にかかるロック装置を具体化した第３実施形態について図７及び図８を参照して説明する。なお、第３実施形態のロック装置も、第１実施形態におけるロック装置と主要な構成が同じである。そのため、第３実施形態においても、第１実施形態と異なる部分について詳細に説明し、第１実施形態と同様の部分については同様の符号を付すことによりその詳細な説明は省略する。
【００６８】
図７に示されるように、第３実施形態のストライカＳは、ストライカ本体Ｓ１と被ロック部Ｓ３とが一体的に形成されており、拡径部Ｓ２には、該拡径部Ｓ２における先端側上部を切り欠いた傾斜面Ｓ２ｇが形成されている。また、ストライカＳの係合面Ｓ２ｈは、拡径部Ｓ２の上面に近い部位ほどストライカＳの先端側に配置されるように傾斜している。
【００６９】
一方、第３実施形態のラッチ本体１５は、肉厚部３１Ａ及び薄肉部３１Ｂを有するラッチ基体３１と、被押圧部２９及び一対のアーム３０を有するロック部５０とを有している。これらラッチ基体３１とロック部５０は、互いの上部がヒンジ部５１によって連結されている。一対のアーム３０には、大径部３０ａにおける先端側下部を切り欠いた傾斜面３０ｉが形成されている。この傾斜面３０ｉは、アーム３０の先端側の部位ほどアーム３０の上面に近い位置に配置されており、ラッチ本体１５がロック位置にあるラッチ１１に対してストライカＳが押し込まれたときに、ストライカＳの傾斜面Ｓ２ｇが当接するようになっている。また、アーム３０の段差面３０ｊは、アーム３０の下面に近い部位ほどアーム３０の先端側に配置されるように傾斜している。
【００７０】
ロック部５０は、ヒンジ部５１が弾性変形することによって、当該ヒンジ部５１を回動中心としてラッチ基体３１の上方に向かって回動可能となっている。枠部２１は、ラッチ基体３１に対して回動するロック部５０との干渉を回避すべく、下壁部２１ｄ、側壁部２１ｂ、２１ｃのみによって構成されている。すなわち、枠部２１は、上壁部２１ａが切り欠かれた形状をなしており、上壁部２１ａが切り欠かれたことによって、ロック部５０の上方に開放部５２が形成されている。ヒンジ部５１は、ガイドレバー２６のトレース部２８が折返し壁３８あるいは折返し壁４０に当接した状態においても枠部２１内に配置されるようになっている。
【００７１】
なお、拡径部Ｓ２は、一対のアーム３０によってロックされた状態において、ロック部５０がヒンジ部５１を回動中心として回動可能な大きさに形成されている。また、ヒンジ部５１は、ロック位置にラッチ本体１５があるラッチ１１に対してストライカＳが押し込まれたときに、ラッチ本体１５がハウジング１２内へ押し込まれることなく弾性変形する。
【００７２】
次に、第３実施形態におけるロック装置の作用、特に、ラッチ本体１５がロック位置にあるラッチ１１に対してストライカＳが押し込まれたときの作用について図８を参照して説明する。
【００７３】
図８（ａ）に示されるように、ラッチ本体１５がロック位置にあるラッチ１１に対してストライカＳが押し込まれると、ラッチ本体１５は、アーム３０の傾斜面３０ｉがストライカＳの傾斜面Ｓ２ｇに当接する。
【００７４】
ストライカＳがさらに押し込まれると、図８（ｂ）に示されるように、ラッチ本体１５のロック部５０は、アーム３０の傾斜面３０ｉがストライカＳの傾斜面Ｓ２ｇに案内されることで、ラッチ基体３１の上方に向かってヒンジ部５１を回動中心として回動する。そして、ロック部５０は、枠部２１の開放部５２を通じてアーム３０の一部を枠部２１の外部に配設し、ストライカＳの軌道からアーム３０を待避させる。すなわち、ストライカＳがラッチ本体１５を押圧する力の一部が、ヒンジ部５１を回動中心としてロック部５０を回動させる回動力に変換される。その結果、ラッチ本体１５がロック位置にあるラッチ１１に対してストライカＳが押し込まれたとしても、ラッチ１１がストライカＳから受ける荷重を軽減することが可能である。
【００７５】
そして、図８（ｃ）に示されるように、ストライカＳがさらに押し込まれると、ロック部５０は、拡径部Ｓ２の係合面Ｓ２ｈに段差面３０ｊが案内されながら、ヒンジ部５１の復元力によってラッチ基体３１の下方へ向かって回動する。そして、ラッチ本体１５は、元の位置に復帰すると、一対のアーム３０の間に拡径部Ｓ２を収容してストライカＳをロックする。
【００７６】
ところで、アーム３０の段差面３０ｊは、アーム３０の下面に近い部位ほどアーム３０の先端側に配置されるように傾斜しており、拡径部Ｓ２の係合面Ｓ２ｈは、拡径部Ｓ２の上面に近い部位ほどストライカＳの先端側に配置されるように傾斜している。そのため、ラッチ本体１５にロックされているストライカＳを該ラッチ本体１５から引き抜こうとすると、段差面３０ｊに係合面Ｓ２ｈが案内され、係合面Ｓ２ｈが大径部３０ａを押圧する力の一部がロック部５０を押し上げる力、すなわちヒンジ部５１を回動中心にしてロック部５０をラッチ基体３１の上方へ向かって回動させる回動力に変換される。そして、ロック部５０の回動によってストライカＳの軌道からアーム３０が待避すると、一対のアーム３０と被ロック部Ｓ３との係合が解除されて、ロック位置にあるラッチ本体１５からストライカＳを引き抜くことができる。
【００７７】
以上説明したように、第３実施形態のロック装置によれば、第１実施形態に記載した（１）〜（５）に準ずる効果を得ることができる。
なお、上記第３実施形態は、以下のように適宜変更して実施することもできる。
【００７８】
・ロック部５０は、ラッチ基体３１の下方に向かって回動可能に弾性支持されてもよい。
・ロック部５０がラッチ基体３１の上方、あるいは下方に向かって回動可能に弾性支持されるのであれば、ロック部５０とラッチ基体３１とが別部材で構成されてもよい。
【００７９】
・ヒンジ部５１の機械的な強度を調整することによって、ラッチ本体１５がロック位置にあるラッチ１１に対してストライカＳが押し込まれたときに、ラッチ本体１５が背壁部２０ｅ側へ押し込まれるようにしてもよい。こうした構成であっても、ラッチ本体１５の移動が規制されたのちにロック部５０の回動が開始されることで、第１実施形態の（１）に記載した効果に準ずる効果を得ることができる。そして、ラッチ本体１５は、ストライカＳの軌道からアーム３０を待避させると、アンロック位置へ向かう移動を開始する。また、ラッチ基体３１の上方に向かって回動したロック部５０は、ヒンジ部５１の復元力によってラッチ基体３１に対する元の位置へと復帰する。
【００８０】
（第４実施形態）
次に本開示にかかるロック装置を具体化した第４実施形態について図９及び図１０を参照して説明する。なお、第４実施形態のロック装置は、第１実施形態におけるロック装置と主要な構成が同じである。そのため、第４実施形態においても、第１実施形態と異なる部分について詳細に説明し、第１実施形態と同様の部分については同様の符号を付すことによりその詳細な説明は省略する。
【００８１】
図９に示されるように、第４実施形態のストライカＳは、ストライカ本体Ｓ１と被ロック部Ｓ３とが一体的に形成されている。被ロック部Ｓ３には、拡径部Ｓ２における左側の部位に、先端側上部を切り欠いた傾斜面Ｓ２ｉが形成されており、また、拡径部Ｓ２における右側の部位に、先端側下部を切り欠いた傾斜面Ｓ２ｊが形成されている。また、拡径部Ｓ２における左側の係合面Ｓ２ｋは、拡径部Ｓ２の上面に近い部位ほどストライカＳの先端側に配置されるように傾斜しており、右側の係合面Ｓ２ｍは、拡径部Ｓ２の下面に近い部位ほどストライカＳの先端側に配置されるように傾斜している。
【００８２】
一方、第４実施形態のラッチ本体１５は、肉厚部３１Ａ及び薄肉部３１Ｂに連結部３１Ｃが一体的に形成されたラッチ基体３１と、被押圧部２９及び一対のアーム３０を有するロック部６０とを有している。
【００８３】
ロック部６０は、第２実施形態の被ロック部Ｓ３と同様に、ハウジング１２の軸方向に沿って延びる円柱状の回動軸部６１を有しており、この回動軸部６１の先端には、該回動軸部６１にねじりコイルばね（図示略）が外挿された状態で円板部６３が固定されている。ロック部６０は、第２実施形態におけるストライカ本体Ｓ１に対する被ロック部Ｓ３の連結態様と同様に、円板部６３と、回動軸部６１のうちでねじりコイルばねの外挿されていない部分とが連結部３１Ｃの凹部６４に圧入されることによって、ラッチ基体３１に対して回動軸部６１を回動中心として回動自在に弾性支持される。
【００８４】
また、第４実施形態のラッチ本体１５において、一対のアーム３０のうち、左側のアーム３０には、先端側下部を切り欠いた傾斜面３０ｋが形成されており、右側のアーム３０には、先端側上部を切り欠いた傾斜面３０ｍが形成されている。これらの傾斜面３０ｋ、３０ｍは、ラッチ本体１５がロック位置にあるラッチ１１に対してストライカＳが押し込まれたとき、拡径部Ｓ２における左側の傾斜面Ｓ２ｉが傾斜面３０ｋに当接し、拡径部Ｓ２における右側の傾斜面Ｓ２ｊが傾斜面３０ｍに当接する。
【００８５】
また、左側のアーム３０の段差面３０ｎは、アーム３０の下面に近い部位ほどアーム３０の先端側に配置されるように傾斜しており、右側のアーム３０の段差面３０ｐは、アーム３０の上面に近い部位ほどアーム３０の先端側に配置されるように傾斜している。
【００８６】
なお、枠部２１は、ラッチ基体３１に対して回動するロック部６０との干渉を回避すべく、側壁部２１ｂ、２１ｃのみによって構成されている。すなわち、枠部２１は、上壁部２１ａ及び下壁部２１ｄが切り欠かれた形状をなしており、上壁部２１ａ及び下壁部２１ｄが切り欠かれることによって、ロック部６０の上方に開放部６５、下方に開放部６６が形成されている。また、拡径部Ｓ２は、一対のアーム３０によってロックされた状態において、回動軸部６１を回動中心にしてロック部６０がラッチ基体３１に対して回動可能な大きさに形成されている。また、ロック部６０は、ロック位置にラッチ本体１５があるラッチ１１に対してストライカＳが押し込まれたときに、ラッチ本体１５がハウジング１２内へ押し込まれることなく回動する。また、ラッチ本体１５は、ロック部６０の回動によってストライカＳの軌道から一対のアーム３０を待避させたときに、該アーム３０が側壁部２１ｂ，２１ｃに圧接された状態が維持される。
【００８７】
次に、第４実施形態におけるロック装置の作用、特に、ラッチ本体１５がロック位置にあるラッチ１１に対してストライカＳが押し込まれたときの作用について図１０を参照して説明する。
【００８８】
図１０（ａ）に示されるように、ラッチ本体１５がロック位置にあるラッチ１１に対し
てストライカＳが押し込まれると、ラッチ本体１５は、アーム３０の傾斜面３０ｋが拡径部Ｓ２の傾斜面Ｓ２ｉに、アーム３０の傾斜面３０ｍが拡径部Ｓ２の傾斜面Ｓ２ｊに当接する。
【００８９】
ストライカＳがさらに押し込まれると、図１０（ｂ）に示されるように、ラッチ本体１５のロック部６０は、傾斜面３０ｋが拡径部Ｓ２の傾斜面Ｓ２ｉに案内され、傾斜面３０ｍが拡径部Ｓ２の傾斜面Ｓ２ｊに案内される。そのため、傾斜面Ｓ２ｉが傾斜面３０ｋを押圧する力の一部がロック部６０の左側を押し上げる力に変換され、傾斜面Ｓ２ｊが傾斜面３０ｍを押圧する力の一部がロック部６０の右側を押し下げる力に変換される。これにより、ロック部６０は、回動軸部６１に外挿されたねじりコイルばね（図示略）を弾性変形させながら、ラッチ基体３１に対して回動軸部６１を回動中心として回動する。そして、ロック部６０は、枠部２１の開放部６５，６６を通じてアーム３０の一部を枠部２１の外部に配設し、ストライカＳの軌道からアーム３０を待避させる。すなわち、ストライカＳがラッチ本体１５を押圧する力の一部が、回動軸部６１を回動中心としてロック部６０を回動させる回動力に変換される。その結果、ラッチ本体１５がロック位置にあるラッチ１１に対してストライカＳが押し込まれたとしても、ラッチ１１がストライカＳから受ける荷重を軽減することが可能である。なお、図１０（ｂ）では、ロック部６０の動きを理解しやすくするためにロック部６０をラッチ基体３１に対して９０°回動させた状態を図示している。しかし、実際には、一対のアーム３０は側壁部２１ｂ，２１ｃによって圧接された状態が維持される。
【００９０】
そして、図１０（ｃ）に示されるように、ストライカＳがさらに押し込まれると、ロック部６０は、段差面３０ｎが拡径部Ｓ２の係合面Ｓ２ｋに、段差面３０ｐが拡径部Ｓ２の係合面Ｓ２ｍに案内されながら、コイルねじりばねの復元力によってラッチ基体３１に対して回動する。すなわち、ロック部６０は、ラッチ基体３１に対して、左側の部位が押し下げられるように、また、右側の部位が押し上げられるように回動する。そして、ラッチ本体１５は、元の位置に復帰すると、一対のアーム３０の間に拡径部Ｓ２を収容してストライカＳをロックする。
【００９１】
ところで、左側のアーム３０における段差面３０ｎは、アーム３０の下面に近い部位ほどアーム３０の先端側に配置されるように傾斜しており、拡径部Ｓ２における左側の係合面Ｓ２ｋは、拡径部Ｓ２の上面に近い部位ほどストライカＳの先端側に配置されるように傾斜している。また、右側のアーム３０における段差面３０ｐは、アーム３０の上面に近い部位ほどアーム３０の先端側に配置されるように傾斜しており、拡径部Ｓ２における右側の係合面Ｓ２ｍは、拡径部Ｓ２の下面に近い部位ほどストライカＳの先端側に配置されるように傾斜している。
【００９２】
そのため、ラッチ本体１５にロックされているストライカＳを該ラッチ本体１５から引き抜こうとすると、段差面３０ｎに係合面Ｓ２ｋが案内されることで、係合面Ｓ２ｋが大径部３０ａを押圧する力の一部がロック部６０の左側を押し上げる力に変換される。また、段差面３０ｐに係合面Ｓ２ｍが案内されることで、係合面Ｓ２ｍが大径部３０ａを押圧する力の一部がロック部６０の右側を押し下げる力に変換される。すなわち、ラッチ本体１５にロックされているストライカＳを引き抜く力の一部が、回動軸部６１を回動中心にしてロック部６０を回動させる力に変換される。そして、ラッチ基体３１に対してロック部６０が回動することで、一対のアーム３０と被ロック部Ｓ３との係合が解除されて、ロック位置にあるラッチ本体１５からストライカＳを引き抜くことができる。
【００９３】
以上説明したように、第４実施形態のロック装置によれば、第１実施形態に記載した（１）〜（５）に準ずる効果、第２実施形態に記載した（６）に準ずる効果を得ることができる。
【００９４】
なお、上記第４実施形態は、以下のように適宜変更して実施することもできる。
・ハウジング１２の枠部２１は、ラッチ基体３１に対して回動するロック部６０が干渉しない位置に上壁部２１ａ及び下壁部２１ｄが形成されていてもよい。
【００９５】
・ロック部６０は、ラッチ基体３１に対して、ハウジング１２の軸方向を回動中心として回動可能に弾性支持されていればよく、これらロック部６０とラッチ基体３１との連結態様は、回動軸部６１、ねじりコイルばね、円板部６３、凹部６４によって構成される態様に限られるものではない。
【００９６】
・ねじりコイルばねのばね定数等を調整することによって、ラッチ本体１５がロック位置にあるラッチ１１に対してストライカＳが押し込まれたときに、ラッチ本体１５が背壁部２０ｅ側へ押し込まれるようにしてもよい。こうした構成であっても、ラッチ本体１５の移動が規制されたのちにロック部６０の回動が開始されることで、第１実施形態の（１）に記載した効果に準ずる効果を得ることができる。そして、ラッチ本体１５は、ストライカＳの軌道からアーム３０を待避させるとアンロック位置へと向かう移動を開始する。そして、ラッチ基体３１に対して回動したロック部６０は、ねじりコイルばねの復元力によって元の位置へと復帰する。
【００９７】
・また、ラッチ本体１５は、ねじりコイルばねの復元力による回動を規制することによって、ラッチ基体３１に対するロック部６０の位置をストライカＳの被ロック部Ｓ３をロック可能な位置に保持する機構を有していてもよい。こうした機構は、例えば、第２実施形態にて説明した規制片Ｓ３ａ，Ｓ３ｂと規制溝Ｓ１ｃ，Ｓ１ｄとによって構成される機構と同様の機構にて実現することが可能である。
【符号の説明】
【００９８】
Ｓ…ストライカ、Ｓ１…ストライカ本体、Ｓ２…拡径部、Ｓ３…被ロック部、Ｓ４…薄肉部、Ｓ６…回動軸部、Ｓ７…ねじりコイルばね、Ｓ８…円板部、Ｓ１ａ…凹部、Ｓ１ｂ…取付孔、Ｓ１ｃ，Ｓ１ｄ…規制溝、Ｓ２ａ，Ｓ２ｃ，Ｓ２ｄ，Ｓ２ｉ，Ｓ２ｊ，Ｓ２ｇ…傾斜面、Ｓ２ｂ，Ｓ２ｅ，Ｓ２ｆ，Ｓ２ｈ，Ｓ２ｋ，Ｓ２ｍ…係合面、Ｓ３ａ，Ｓ３ｂ…規制片、１１…ラッチ、１２…ハウジング、１３…ガイド孔、１５…ラッチ本体、２０…ハウジング基体、２０ａ…上壁部、２０ｂ，２０ｃ…側壁部、２０ｄ…下壁部、２０ｅ…背壁部、２１…枠部、２１Ａ…開口部、２１ａ…上壁部、２１ｂ，２１ｃ…側壁部、２１ｄ…下壁部、２１Ｂ，２１Ｄ…切り欠き部、２２…爪部、２３…ばね受け部、２４…付勢ばね、２５…揺動軸部、２６…ガイドレバー、２７…アーム部、２８…トレース部、２９…被押圧部、３０…アーム、３０ａ…大径部、３０ｂ…中間部、３０ｃ，３０ｅ，３０ｆ，３０ｉ，３０ｋ，３０ｍ…傾斜面、３０ｄ，３０ｇ，３０ｈ，３０ｊ，３０ｎ，３０ｐ…段差面、３１…ラッチ基体、３１Ａ…肉厚部、３１Ｂ…薄肉部、３１Ｃ…連結部、３２…ヒンジ部、３３…突片、３４…嵌挿穴、３５…カム溝、３６…ハートカム、３７…凹部、３８…折返し壁、３９…カム面、４０…折返し壁、５０…ロック部、５１…ヒンジ部、５２…開放部、６０…ロック部、６１…回動軸部、６３…円板部、６４…凹部、６５，６６…開放部、１０１…ラッチ、１０２…ハウジング、１０２Ｂ…背壁部、１０３…開口部、１０４…ラッチ本体、１０５…付勢ばね、１０６…アーム、１０７…ストライカ、１０８…被ロック部、１０９…ハートカム、１１０…カム溝、１１１…ガイドレバー、１１２…トレース部、１１３…折返し壁、１１４…係止部、１１５…案内壁、１１６…折返し壁。
【図１】
2013204373.tif 000003
【図２】
2013204373.tif 000004
【図３】
2013204373.tif 000005
【図４】
2013204373.tif 000006
【図５】
2013204373.tif 000007
【図６】
2013204373.tif 000008
【図７】
2013204373.tif 000009
【図８】
2013204373.tif 000010
【図９】
2013204373.tif 000011
【図１０】
2013204373.tif 000012
【図１１】
2013204373.tif 000013
【図１２】
2013204373.tif 000014